(57)【要約】【課題】作業性の向上と内部への水の浸入を抑えることができるコネクタカバーを提供する。【解決手段】コネクタカバー１３は、ケーブルの端部に設けられたコネクタとケーブルの一部とを収容する筒状のカバー本体２１を備える。カバー本体２１には、カバー本体２１に対する外力の付与による変形に伴って弾性変形するドア部材２２ａ，２２ｂ，２３ａ，２３ｂからなる閉塞部２２，２３を有する。閉塞部２２，２３は、カバー本体２１に対して外力の付与がない場合に２つのドア部材２２ａ，２２ｂ，２３ａ，２３ｂによってカバー本体２１の開口部２１ａが閉状態となり、カバー本体２１を変形させる外力の付与がある場合に２つのドア部材２２ａ，２２ｂ，２３ａ，２３ｂが弾性変形することによってカバー本体２１の開口部２１ａが開状態となるように構成される。【選択図】図２
2018037306.tif 000002
【特許請求の範囲】
【請求項１】
ケーブルの端部に設けられたコネクタと前記ケーブルの一部とを収容する筒状のカバー本体を備え、
前記カバー本体には、前記カバー本体に対する外力の付与による変形に伴って弾性変形する２つのドア部材からなる閉塞部を有し、
前記閉塞部は、前記カバー本体に対して外力の付与がない場合に前記２つのドア部材によって前記カバー本体の開口部が閉状態となり、前記カバー本体を変形させる外力の付与がある場合に前記２つのドア部材が弾性変形することによって前記カバー本体の開口部が開状態となるように構成されることを特徴とするコネクタカバー。
【請求項２】
請求項１に記載のコネクタカバーにおいて、
前記閉塞部は、２つのドア部材の当接面側に発泡部材が設けられることを特徴とするコネクタカバー。
【請求項３】
請求項１又は２に記載のコネクタカバーにおいて、
前記閉塞部は、複数設けられることを特徴とするコネクタカバー。
【請求項４】
請求項３に記載のコネクタカバーにおいて、
複数設けられる前記閉塞部は、各閉塞部を構成する２つのドア部材の開閉方向が前記カバー本体の開口部側から見て交差するように構成されることを特徴とするコネクタカバー。
【請求項５】
請求項３又は４に記載のコネクタカバーにおいて、
前記カバー本体には、複数設けられる前記閉塞部の間に、水抜き部が設けられることを特徴とするコネクタカバー。
【請求項６】
ケーブルと、該ケーブルの端部に設けられるコネクタと、請求項１〜５のいずれか一項に記載のコネクタカバーと、を備えたことを特徴とするワイヤーハーネス。
【発明の詳細な説明】
【技術分野】
【０００１】
本発明は、コネクタカバー及びワイヤーハーネスに関する。
【背景技術】
【０００２】
従来、ワイヤーハーネスにおいては、電線等でなるケーブルの端部側に、ケーブルの端部に接続したコネクタやコネクタに接続した電線（ケーブル）を保護する外装部品としてコネクタカバーが設けられている（例えば特許文献１参照）。
【０００３】
図７（ａ）（ｂ）（ｃ）に示すようにこのようなコネクタカバー１００は、コネクタ１０１とケーブル１０２とを収容するような筒状のカバー本体１０３を有する。ここで、カバー本体は、ケーブル側を収容する部位の内径がコネクタの外径よりも小さい。したがって、ケーブルに対してコネクタカバーを挿通した後にコネクタをケーブルに対して接続するようになっている。その後、コネクタカバー１００の末端（ケーブルとの境界部分）を覆うようにして例えばＰＶＣテープ等のテープ１０４を巻くようになっている。
【０００４】
また、コネクタカバーの他、スパイラルチューブなどのケーブルの途中に巻き付けられて前記ケーブルを保護する外装部品が知られている。
【先行技術文献】
【特許文献】
【０００５】
【特許文献１】特開平８−１８０９１４号公報
【発明の概要】
【発明が解決しようとする課題】
【０００６】
上記のようなコネクタカバーでは、先にコネクタカバーを挿通した後に、コネクタとケーブルとを接続するため、作業手順が決まってしまい作業性の面で改善の余地が残されている。
【０００７】
また、コネクタカバーの末端を覆うようにしてテープ巻きを行うようにしたが、その巻き具合によってはケーブル側からコネクタ側に伝わってくる水がコネクタカバー内部に浸入する虞がある。
【０００８】
本発明は、上記課題を解決するためになされたものであって、その目的は、作業性の向上と内部への水の浸入を抑えることができるコネクタカバー及びワイヤーハーネスを提供することにある。
【課題を解決するための手段】
【０００９】
上記課題を解決するコネクタカバーは、ケーブルの端部に設けられたコネクタと前記ケーブルの一部とを収容する筒状のカバー本体を備え、前記カバー本体には、前記カバー本体に対する外力の付与による変形に伴って弾性変形する２つのドア部材からなる閉塞部を有し、前記閉塞部は、前記カバー本体に対して外力の付与がない場合に前記２つのドア部材によって前記カバー本体の開口部が閉状態となり、前記カバー本体を変形させる外力の付与がある場合に前記２つのドア部材が弾性変形することによって前記カバー本体の開口部が開状態となるように構成される。
【００１０】
この構成によれば、閉塞部は、カバー本体に対して外力の付与がない場合に２つのドア部材によってカバー本体の開口部が閉状態となり、カバー本体に対して外力の付与がある場合に２つのドア部材によってカバー本体の開口部が開状態となるように構成される。このため、例えばケーブルとコネクタとを先に取り付けた状態であってもカバー本体に外力を付与して２つのドア部材を開状態とすることでコネクタカバーを取り付けることができるため、作業性の向上を図ることができる。また、取り付けた後にカバー本体に対して外力を付与しない状態とすることで、２つのドア部材を閉状態として内部への水の浸入を抑えることができる。
【００１１】
上記コネクタカバーにおいて、前記閉塞部は、２つのドア部材の当接面側に発泡部材が設けられることが好ましい。
この構成によれば、閉塞部の２つのドア部材の当接面側に発泡部材によってドア部材間の隙間を埋めることができるため、より水の浸入を抑えることができる。
【００１２】
上記コネクタカバーにおいて、前記閉塞部は、複数設けられることが好ましい。
この構成によれば、閉塞部が複数設けられることで水の浸入を抑えることができる。
上記コネクタカバーにおいて、複数設けられる前記閉塞部は、各閉塞部を構成する２つのドア部材の開閉方向が前記カバー本体の開口部側から見て交差するように構成されることが好ましい。
【００１３】
この構成によれば、複数設けられる前記閉塞部は、各閉塞部を構成する２つのドア部材の開閉方向がカバー本体の開口部側から見て交差するように構成される。このため、意図しない外力の付与によって或る閉塞部のドア部材が開状態となった場合でも、他の閉塞部のドア部材を閉状態とすることが可能となるため、より水の浸入を抑えることができる。
【００１４】
上記コネクタカバーにおいて、前記カバー本体には、複数設けられる前記閉塞部の間に、水抜き部が設けられることが好ましい。
この構成によれば、複数設けられる閉塞部の間に水抜き部が設けられるため、万一内部に水が浸入した場合であっても、水抜き部から水を抜くことが可能となる。
【００１５】
また、上記課題を解決するワイヤーハーネスは、ケーブルと、該ケーブルの端部に設けられるコネクタと、上記いずれかに記載のコネクタカバーと、を備える。
この構成によれば、上記記載の効果と同様の効果を奏することができるワイヤーハーネスを提供することができる。
【発明の効果】
【００１６】
本発明のコネクタカバー及びワイヤーハーネスによれば、作業性の向上と内部への水の浸入を抑えることができるコネクタカバー及びワイヤーハーネスを提供することができる。
【図面の簡単な説明】
【００１７】
【図１】一実施形態におけるワイヤーハーネスの側面図。
【図２】同上におけるコネクタカバーの一部を破断して閉塞部の構成を説明するための説明図。
【図３】同上におけるコネクタカバーの断面図。
【図４】同上におけるコネクタカバーの断面図。
【図５】同上におけるコネクタカバーに対して外力を付与した状態を示す断面図。
【図６】変形例におけるコネクタカバーの一部を破断して閉塞部の構成を説明するための説明図。
【図７】（ａ）（ｂ）（ｃ）は、参考例のワイヤーハーネスの製造方法について説明するための説明図。
【発明を実施するための形態】
【００１８】
以下、コネクタカバーを有するワイヤーハーネスの一実施形態について説明する。
図１に示すように、本実施形態のワイヤーハーネス１０は、ケーブル１１と、ケーブル１１の端部に設けられるコネクタ１２と、コネクタ１２及びケーブル１１の一部を覆う筒状のコネクタカバー１３とを有する。
【００１９】
ケーブル１１は、例えば１又は複数の被覆電線と、各被覆電線を纏めて被覆する絶縁材とを有する。被覆電線は、径が小さい銅線の束である芯線を例えばポリ塩化ビニル（ＰＶＣ）などによりなる絶縁体で被覆して構成される。なお、芯線は、径が大きい１本の銅線で構成してもよい。また芯線は、銅線に限らず例えばアルミニウム線であってもよい。
【００２０】
図２に示すように、コネクタ１２は、ケーブル１１の被覆電線（芯線）と電気的に接続され、他の機器や他のケーブルに対してケーブル１１を接続するためのものである。
図１に示すように、筒状のコネクタカバー１３は、ケーブル１１及びコネクタ１２の境界部分を含むようにケーブル１１及びコネクタを収容するカバー本体２１を有する。
【００２１】
図２に示すように、カバー本体２１は、略円筒状をなすように構成され、その開口部２１ａを閉塞するような２つの閉塞部２２，２３を有する。
２つの閉塞部２２，２３はカバー本体２１の開口方向において離間される位置に設けられている。
【００２２】
図３に示すように、一方の閉塞部２２は、カバー本体２１に対する外力の付与による変形に伴って弾性変形する２つのドア部材２２ａ，２２ｂを有する。
図３に示すように、閉塞部２２を構成するドア部材２２ａ，２２ｂは、それぞれ略半円形状をなすように構成され、ドア部材２２ａ，２２ｂの一部同士がカバー本体２１の開口方向において重なるとともに当接するように構成されている。
【００２３】
閉塞部２２は、カバー本体２１に対して外力の付与がない場合に２つのドア部材２２ａ，２２ｂによってカバー本体２１の開口部２１ａが閉状態となる。
図５に示すように、カバー本体２１に対して外力の付与がある場合に２つのドア部材２２ａ，２２ｂが弾性変形することによってカバー本体２１の開口部２１ａが開状態となるように構成される。
【００２４】
図４に示すように、他方の閉塞部２３は、カバー本体２１に対する外力の付与による変形に伴って弾性変形する２つのドア部材２２ａ，２２ｂを有する。
図４に示すように、閉塞部２２を構成するドア部材２２ａ，２２ｂは、それぞれ略半円形状をなすように構成され、ドア部材２２ａ，２２ｂの一部同士がカバー本体２１の開口方向において重なるとともに当接するように構成されている。
【００２５】
閉塞部２３は、カバー本体２１に対して外力の付与がない場合に２つのドア部材２３ａ，２３ｂによってカバー本体２１の開口部２１ａが閉状態となる。カバー本体２１に対して外力の付与がある場合に２つのドア部材２３ａ，２３ｂが弾性変形することによってカバー本体２１の開口部２１ａが開状態となるように構成される。
【００２６】
閉塞部２２と閉塞部２３は、開閉方向が開口部２１ａ側から見て直交（交差）するように構成される。このため、閉塞部２２によって開口部２１ａを開状態とするような外力が付与された場合には、閉塞部２３は開口部２１ａを閉状態となる。
【００２７】
次に、ワイヤーハーネス１０の作用を説明する。
本実施形態のワイヤーハーネス１０は、コネクタカバー１３がコネクタ１２及びケーブル１１の端部を収容するように設けられる。コネクタカバー１３には、カバー本体２１に閉塞部２２，２３が設けられる。この閉塞部２２，２３は、それぞれ弾性変形可能な２つのドア部材２２ａ，２２ｂ，２３ａ，２３ｂで構成される。外力を付与した場合には、カバー本体２１が変形することでそれに追従するように閉塞部２２のドア部材２２ａ，２２ｂ又は閉塞部２３のドア部材２３ａ，２３ｂが弾性変形することで開口部２１ａが開状態となってコネクタカバー１３をコネクタ１２とケーブル１１とを接続した状態であっても取り付け可能となる。また、ドア部材２２ａ，２２ｂ，２３ａ，２３ｂは、カバー本体２１に対する外力の付与がない場合に開口部２１ａを閉状態とするように構成されるため、コネクタカバー１３をコネクタ１２とケーブル１１の端部とを収容するように取り付けた後は、ケーブル１１との間の隙間を閉塞するようになっている。このため、水の浸入が抑えられている。
【００２８】
次に、本実施形態の効果を記載する。
（１）閉塞部２２，２３は、カバー本体２１に対して外力の付与がない場合に２つのドア部材２２ａ，２２ｂ，２３ａ，２３ｂによってカバー本体２１の開口部２１ａが閉状態となり、カバー本体２１に対して外力の付与がある場合に２つのドア部材２２ａ，２２ｂ，２３ａ，２３ｂによってカバー本体２１の開口部２１ａが開状態となるように構成される。このため、例えばケーブル１１とコネクタ１２とを先に取り付けた状態であってもカバー本体２１に外力を付与して２つのドア部材２２ａ，２２ｂ，２３ａ，２３ｂを開状態とすることでコネクタカバー１３を取り付けることができるため、作業性の向上を図ることができる。また、取り付けた後にカバー本体２１に対して外力を付与しない状態とすることで、２つのドア部材２２ａ，２２ｂ，２３ａ，２３ｂを閉状態として内部への水の浸入を抑えることができる。
【００２９】
（２）閉塞部２２，２３が複数設けられることで水の浸入を抑えることができる。
（３）複数設けられる閉塞部２２，２３は、各閉塞部２２，２３を構成する２つのドア部材２２ａ，２２ｂ，２３ａ，２３ｂの開閉方向がカバー本体２１の開口部２１ａ側から見て交差（本例では直交）するように構成される。このため、意図しない外力の付与によって或る閉塞部２２のドア部材２２ａ，２２ｂが開状態となった場合でも、他の閉塞部２３のドア部材２３ａ，２３ｂを閉状態とすることが可能となるため、より水の浸入を抑えることができる。
【００３０】
なお、上記実施形態は、以下のように変更してもよい。
・図６に示すように例えば複数の閉塞部２２，２３を採用した場合に、各閉塞部２２，２３間に水抜き部２５を設ける構成を採用してもよい。図６に示す水抜き部２５は、例えば網目状に構成される。このように、水抜き部２５が設けられるため、万一内部に水が浸入した場合であっても、水抜き部２５から排水することが可能となる。
【００３１】
・図６に示すように、閉塞部２２を構成するドア部材２２ａとドア部材２２ｂとの間、閉塞部２３を構成するドア部材２３ａとドア部材２３ｂとの間に発泡部材２６ａ，２６ｂを設ける構成を採用してもよい。なお、図６に示す例では、ドア部材２２ａとドア部材２２ｂとの対向するそれぞれの面に個別に発泡部材２６ａ，２６ｂを設けている。同様に、ドア部材２３ａ，２３ｂとの対向するそれぞれの面に個別に発泡部材２６ａ，２６ｂを設けている。このような構成とすることで発泡部材２６ａ，２６ｂによってドア部材２２ａ，２２ｂ間並びにドア部材２３ａ，２３ｂ間の隙間を埋めることができるため、より水の浸入を抑えることができる。
【００３２】
・上記実施形態では、２つの閉塞部２２，２３を設けて各閉塞部２２，２３の開閉方向が直交する方向となるように構成したが、各閉塞部２２，２３の開閉方向が直交する方向以外の交差する方向となるように構成してもよい。また、各閉塞部２２，２３の開閉方向が同方向となるように構成してもよい。
【００３３】
・上記実施形態では、２つの閉塞部２２，２３を設ける構成としたが、これに限らず、１つ又は３つ以上の閉塞部を設ける構成を採用してもよい。
・上記実施形態並びに各変形例は適宜組み合わせてもよい。
【符号の説明】
【００３４】
１０…ワイヤーハーネス、１１…ケーブル、１２…コネクタ、１３…コネクタカバー、２１…カバー本体、２１ａ…開口部、２２…閉塞部、２２ａ，２２ｂ…ドア部材、２３…閉塞部、２３ａ，２３ｂ…ドア部材、２５…水抜き部、２６ａ，２６ｂ…発泡部材。
【図１】
2018037306.tif 000003
【図２】
2018037306.tif 000004
【図３】
2018037306.tif 000005
【図４】
2018037306.tif 000006
【図５】
2018037306.tif 000007
【図６】
2018037306.tif 000008
【図７】
2018037306.tif 000009